(57)【要約】【課題】  本発明は、簡単な操作により、ジョイスティック等の操作手段の操作対象を切替えることのできるリモートコントロール装置を提供する。【解決手段】  電子機器を遠隔操作するリモートコントロール装置であって、操作レバーを有した操作手段２５と、前記電子機器を遠隔操作するためのメニューが表示される表示手段３３とを有し、前記操作レバーは、前記操作レバーの軸方向と直交する方向への傾倒を行なう傾倒動作および前記傾倒動作を行なわない状態で前記軸方向への移動を行なう押込動作が可能に構成され、前記傾倒動作を伴う動作に基づいて前記表示手段３３に表示されるメニューの操作が実行され、前記押込動作に基づいて前記電子機器の画面に表示されるメニューの操作が実行されることを特徴とする。【選択図】  図７
2005252742.tif 000002
【特許請求の範囲】
【請求項１】
電子機器を遠隔操作するリモートコントロール装置であって、
操作レバーを有した操作手段と、
前記電子機器を遠隔操作するためのメニューが表示される表示手段とを有し、
前記操作レバーは、前記操作レバーの軸方向と直交する方向への傾倒を行なう傾倒動作および前記傾倒動作を行なわない状態で前記軸方向への移動を行なう押込動作が可能に構成され、
前記傾倒動作を伴う動作に基づいて前記表示手段に表示されるメニューの操作が実行され、前記押込動作に基づいて前記電子機器の画面に表示されるメニューの操作が実行されることを特徴とするリモートコントロール装置。
【請求項２】
前記操作レバーは更に、前記傾倒動作を行なった状態で前記軸方向への移動を行なう傾倒押込動作が可能に構成され、前記傾倒押込動作に基づいて前記表示手段に表示されるメニューの操作が実行されることを特徴とする請求項１に記載のリモートコントロール装置。
【請求項３】
前記表示手段に表示されるメニューは複数の行から構成され、前記行には左右それぞれにメニュー項目が表示されていることを特徴とする請求項１または２に記載のリモートコントロール装置。
【請求項４】
前記行方向への前記傾倒動作に基づいて、前記表示手段に表示されるメニューの前記行の選択が実行され、前記行方向と異なる方向への前記傾倒動作に基づいて、選択された前記行のメニュー項目の決定が実行されることを特徴とする請求項３に記載のリモートコントロール装置。
【請求項５】
前記傾倒動作に基づいて、前記表示手段に表示されるメニューの選択が実行され、前記傾倒押込動作に基づいて、選択されたメニューの決定が実行されることを特徴とする請求項２または３に記載のリモートコントロール装置。
【請求項６】
前記傾倒押込動作に基づいて、前記表示手段に表示される画面の切替えが実行されることを特徴とする請求項２乃至５のいずれかに記載のリモートコントロール装置。
【請求項７】
前記押込動作に基づいて、前記電子機器の画面に表示されるメニューの決定が実行されることを特徴とする請求項１乃至６のいずれかに記載のリモートコントロール装置。
【請求項８】
前記操作レバーの周囲に、前記電子機器の画面に表示されるメニューの選択を実行するための方向指示ボタンが設けられていることを特徴とする請求項１乃至７のいずれかに記載のリモートコントロール装置。
【請求項９】
前記操作手段が設けられた本体部材と、
前記本体部材に移動可能に設けられ前記表示手段を有する移動部材とを有し、
前記移動部材は、前記表示手段が前記本体部材に覆われる第１位置と、前記表示手段が前記本体部材に覆われない第２位置に移動可能であることを特徴とする請求項１乃至８のいずれかに記載のリモートコントロール装置。
【請求項１０】
前記本体部材は、上部本体と下部本体から構成され、前記移動部材は、前記上部本体と前記下部本体との間を移動可能であることを特徴とする請求項９に記載のリモートコントロール装置。
【発明の詳細な説明】
【技術分野】
【０００１】
本発明は、ジョイスティック等の操作手段を有した、ＡＶ機器等の電子機器を遠隔操作するためのリモートコントロール装置に関する。
【背景技術】
【０００２】
近年、電子機器を遠隔操作するためのリモートコントロール装置（リモコン）には、操作キーが表示される表示部を有し、ジョイスティック等により該操作キーの選択、決定を行なうものがある。例えば、リモコン本体に液晶表示部を設け、液晶表示部に表示された指示キーの選択、決定を行なうジョイスティックと、モニタに表示されたアイコンの選択、決定を行なうジョイスティックを兼用にして、切替スイッチにより使い分けたり、液晶表示部の指示キーの最縁部の外側への移動指示があった場合、ジョイスティックをモニタのアイコン用に切替えたりするものが知られている（特許文献１）。
【特許文献１】特開平１１−２５２４０５号公報
【発明の開示】
【発明が解決しようとする課題】
【０００３】
しかしながら、特許文献１に記載の装置は、ジョイスティックの操作対象を切替スイッチで切替えたり、液晶画面上の操作により切替えたりしており、操作が煩わしく使いにくいものであった。
本発明は、このような問題点に鑑みなされたものであり、簡単な操作により、ジョイスティック等の操作手段の操作対象を切替えることのできるリモートコントロール装置を提供するものである。
【課題を解決するための手段】
【０００４】
本発明は、電子機器を遠隔操作するリモートコントロール装置であって、操作レバーを有した操作手段と、前記電子機器を遠隔操作するためのメニューが表示される表示手段とを有し、前記操作レバーは、前記操作レバーの軸方向と直交する方向への傾倒を行なう傾倒動作および前記傾倒動作を行なわない状態で前記軸方向への移動を行なう押込動作が可能に構成され、前記傾倒動作を伴う動作に基づいて前記表示手段に表示されるメニューの操作が実行され、前記押込動作に基づいて前記電子機器の画面に表示されるメニューの操作が実行されることを特徴とする。
前記操作レバーは更に、前記傾倒動作を行なった状態で前記軸方向への移動を行なう傾倒押込動作が可能に構成され、前記傾倒押込動作に基づいて前記表示手段に表示されるメニューの操作が実行されることを特徴とする。
前記表示手段に表示されるメニューは複数の行から構成され、前記行には左右それぞれにメニュー項目が表示されていることを特徴とする。
前記行方向への前記傾倒動作に基づいて、前記表示手段に表示されるメニューの前記行の選択が実行され、前記行方向と異なる方向への前記傾倒動作に基づいて、選択された前記行のメニュー項目の決定が実行されることを特徴とする。
前記傾倒動作に基づいて、前記表示手段に表示されるメニューの選択が実行され、前記傾倒押込動作に基づいて、選択されたメニューの決定が実行されることを特徴とする。
前記傾倒押込動作に基づいて、前記表示手段に表示される画面の切替えが実行されることを特徴とする。
前記押込動作に基づいて、前記電子機器の画面に表示されるメニューの決定が実行されることを特徴とする。
前記操作レバーの周囲に、前記電子機器の画面に表示されるメニューの選択を実行するための方向指示ボタンが設けられていることを特徴とする。
前記リモートコントロール装置は、前記操作手段が設けられた本体部材と、前記本体部材に移動可能に設けられ前記表示手段を有する移動部材とを有し、前記移動部材は、前記表示手段が前記本体部材に覆われる第１位置と、前記表示手段が前記本体部材に覆われない第２位置に移動可能であることを特徴とする。
前記本体部材は、上部本体と下部本体から構成され、前記移動部材は、前記上部本体と前記下部本体との間を移動可能であることを特徴とする。
【発明の効果】
【０００５】
本発明は、簡単な操作により、ジョイスティック等の操作手段の操作対象を切替えることのできるリモートコントロール装置を提供することができる。
【発明を実施するための最良の形態】
【０００６】
次に、本発明の内容を詳細に説明するが、本発明はこれら実施の形態に何ら限定されるものではない。
【０００７】
図１乃至図３は、本発明のリモートコントロール装置に用いることができるジョイスティック等の操作レバーを有した操作手段を示す。図１は、操作手段１の概略構成を示す斜視図である。操作手段１は、Ｘ軸を中心にしてＹ軸方向に回動可能に設けられた溝部材２、Ｙ軸を中心にしてＸ軸方向に回動可能に設けられた溝部材３、各溝部材の回転角度を検出する回転角検出部材４、５、操作手段１に回転自在に支持されている球状部材６、球状部材６および各溝部材２、３の溝を貫通して設けられている操作レバー７、操作レバー７のＺ軸方向の移動を検知するスイッチ８〜１２等から構成されている。
【０００８】
図２は、図１の操作手段１のＸ軸とＺ軸を含む平面での断面図である。操作レバー７は、バネ（図示せず）等により上方に付勢されている。操作レバー７の一部は操作手段１の筐体１３から上方へ突出していて、球状部材６を中心に傾倒操作を行なうことができるように構成されている。傾倒操作の方向および実行は、回転角検出部材４、５により検出される回転角度に基づいて判断される。また、操作レバー７は、球状部材６を貫通して設けられており、Ｚ軸方向への押込み操作ができるように構成されている。図２は、操作レバー７がいずれの方向にも傾倒していない状態の図で、この状態で操作レバー７を破線で示すように押込むことにより、スイッチ８を作動させることができる。
【０００９】
図３は、図２において操作レバー７をＸ軸方向へ傾倒させた状態の図である。操作レバー７は、この状態でも押込むことができるように構成されており、図３の場合は、操作レバー７を破線で示すように押込むことによりスイッチ１２を作動させることができる。同様に、傾倒方向を変えて操作レバー７を押込むことにより、スイッチ９乃至１１も作動させることができる。
なお、操作手段１の構成はこれに限定されるものではなく、傾倒方向およびスイッチの数等も任意に変更可能である。
【００１０】
次に、本発明のリモートコントロール装置について説明する。
図４は、後述する液晶パネル３３が、上部本体２１ａに覆われる位置にある時の状態を示す。図５は、図４のリモートコントロール装置を右側から見た側面図である。装置本体は、図５に示すように、上部本体２１ａ及び下部本体２１ｂから構成され、操作ユニット３２が上部本体２１ａ及び下部本体２１ｂの間に挟まれるように構成されている。上部本体２１ａには、使用する電子機器を切替える機器切替キー２２、選択された電子機器を表示する液晶等の表示部２３、選択された電子機器の電源のオン・オフを制御する電源キー２４、液晶パネル３３およびテレビ等の電子機器の画面に表示されるメニューの操作を行なうジョイスティック２５、テレビ等の電子機器の画面に表示されるメニューの操作を行なう画面操作部材２６、液晶パネル３３に表示される画面のモードを切換える機器/設定キー２７、音量キー２８、選局キー２９等が設けられている。また、「１」〜「１２」のテンキーで構成されたチャンネル選局キー３０や、ＡＶ機器に共通と思われる再生、録画等の操作を行なうＡＶ操作キー３１も、同様に上部本体２１ａに設けられている。なお、本発明において、前述の上部本体２１ａに設けられているような操作キーをハードキーといい、後述のタッチパネルとして構成された液晶パネル３３に操作可能に表示されるような操作キーをソフトキーという。
【００１１】
図６および図７は、操作ユニット３２を図４の状態から移動させた時の状態をそれぞれ示す。図６は、操作ユニット３２の移動途中の状態を示す図であり、図７は、液晶パネル３３が装置本体に覆われない状態、すなわち、操作ユニット３２が使用位置にある時の状態を示す図である。図８は、図７の状態のリモートコントロール装置を右側から見た側面図である。図９、図１０は、図４、図７の状態において上部本体２１ａを取り外した状態の構成図である。操作ユニット３２は、上部本体２１ａ及び下部本体２１ｂに回動支持部３５で回動可能に支持されている。操作ユニット３２の移動は、操作ユニット３２に連動して回動する移動操作部材３４により行なうことができる。移動操作部材３４は、操作ユニット３２と一体的に構成されていても、別体で構成されていてもよい。移動操作部材３４は、上部本体２１ａ及び下部本体２１ｂからその一部が露出するように構成されているので、外部から指等で移動操作部材３４を回動操作することにより、操作ユニット３２の移動を行なうことができる。
【００１２】
図１１は、図７とは逆の方向へ操作ユニット３２を移動させた状態の図である。このように、左右いずれの方向へ移動させても操作ユニット３２を使用できる構成にすることにより、右利き、左利きのいずれにも対応でき、更に使い勝手が向上する。なお、操作ユニット３２が複数の使用位置を取る場合は、その位置に応じて液晶パネル３３の画面方向が変化するように構成することにより、常に同じ向きで画面を認識することができる。
【００１３】
本発明によれば、通常の状態、すなわち操作ユニット３２を使用しない図４の状態では、操作ユニット３２は上部本体２１ａ及び下部本体２１ｂの間に挟まれ覆われているので、操作ユニット３２は破損、汚れ等から保護されるという効果を奏する。
【００１４】
次に、本発明のリモートコントロール装置の使用方法について説明する。例えば、普通にテレビ（地上波アナログ放送等）を見たり、ビデオデッキで再生画像を見る等、複雑な操作や各電子機器特有の操作を行なわない場合は、操作ユニット３２を使用せずに、図４の状態で操作を行なうことができる。例えば、機器切替キー２２でテレビを選択すれば、「１」〜「１２」のテンキーで構成されたチャンネル選局キー３０で見たいチャンネルを選択したり、音量キー２８で音量の変更等の操作を行なうことができる。また、ビデオを選択すれば、再生、録画等のＡＶ操作キー３１により、ビデオの録画、再生等に必要な操作を行なうことができる。このように、使用頻度の高い機能、操作に対応する操作キーを上部本体２１ａに設けておけば、操作ユニット３２を使用せずに、従来のハードキーで構成されたリモートコントロール装置と同様に操作することができるので、ユーザーにとって外観上も操作上も全く違和感がなく、操作し易いものである。これらのハードキーは、ブラインド操作が可能な操作キー、すなわち、テレビ画面を見ながら操作したり、操作することにより画面が切り替わるような操作キーであるので、操作性は更に向上する。なお、上部本体２１ａに設ける操作キーはこれらに限定されるものではない。
【００１５】
次に、操作ユニット３２を使用した操作について、図１２に基づいて説明する。図１２は、使用機器としてテレビが選択され、液晶パネル３３には、画面３３ａとして、選択されている機器名「テレビ」の表示と「番組表」等のテレビの機能、操作に関するメニューが表示されている。
液晶パネル３３に表示される画面は、機器/設定キー２７を押すことにより、図１２に示すようなリモコンモード画面３３ａ、機器選択モード画面３３ｂ、設定モード画面３３ｃの３つのモード画面に順次切換えることができる。機器選択モード画面３３ｂでは使用する機器の選択をすることができ、設定モード画面３３ｃでは各種設定ができるように構成されている。このように、各電子機器に特有の機能、操作については、液晶パネル３３にメニューとして表示させて切換えることができるので、多くの機器、機能に対応することができる。
【００１６】
液晶パネル３３に表示されたメニューは、上部本体２１ａに設けられたジョイスティック２５により操作することができる。操作方法を説明するための図を、図１３乃至図１５に示す。図１３乃至図１５は、使用する機器としてＤＶＤが選択されている時のメニュー画面である。メニューは、複数の行で構成され、各行には左右に２つのメニュー項目が表示されている。メニューの中から所望のメニュー項目を選択、決定する手順を説明するため、ここでは「ズーム」のメニュー項目の選択、決定を例として説明する。
まず、ジョイスティック２５を上下いずれかの方向に傾倒させて行を選択する。図１３は、「字幕・音声」のメニュー項目からなる行が選択されている状態を示す。この状態から、ジョイスティック２５を下方向に傾倒させると、図１４に示すように、「ズーム・アングル」の行を選択することができる。図１３、図１４では、行は選択されていても、各メニュー項目は選択されていない状態である。
行を選択した後は、ジョイスティック２５を左右いずれかの方向に傾倒させて、メニュー項目の選択を行なうことができる。図１５は、「ズーム・アングル」の行が選択されている状態で、ジョイスティック２５を左方向に傾倒させて「ズーム」のメニュー項目を選択した状態を示す図である。なお、メニュー項目の選択はジョイスティック２５を左右いずれかの方向に傾倒させている間は選択された状態を維持できるが、手を離してジョイスティック２５が傾倒していない状態に戻るといずれのメニュー項目も選択されていない状態になるように構成されている。
次に、メニュー項目の決定は、ジョイスティック２５を左右何れかの方向に傾倒させたまま、ジョイスティック２５を押込むことにより行なうことができる。従って、「ズーム」のメニュー項目を決定する場合は、図１５に示すように、ジョイスティック２５を左方向に傾倒させて「ズーム」のメニュー項目を選択した状態で、ジョイスティック２５を押込むことにより決定を行なうことができる。
【００１７】
一方、テレビ等の画面に表示されるメニューの選択操作は、画面操作部材２６により行なうことができ、画面操作部材２６により選択されたメニューの決定は、ジョイスティック２５を用いて行なうことができるように構成されている。即ち、ジョイスティック２５を、いずれの方向にも傾倒させない状態で押込んだ場合は、画面操作部材２６により選択されているテレビ等の画面のメニューの決定を行なうことができるように構成されているものである。
【００１８】
このように、１つのジョイスティック２５で、２つの画面のメニューの決定動作を行なえるようにしたので、各画面用に決定動作のためのキーをそれぞれ設ける必要がなく、部品点数の削減につながるものである。
また、メニューの決定動作を行なうキーは、上下左右の方向を指示する画面操作部材２６の中央に配置されるのが一般的で、使用するユーザーもそのような構成の操作キーに慣れていることが多い。従って、画面操作部材２６の中央に配置されたジョイスティック２５は、傾倒させなければ液晶パネル３３の操作とは無関係になり、単純に画面操作部材２６の決定キーとして作用し、一般的な操作キーと同様の操作を行なうことができるので非常に便利である。また、ジョイスティック２５を傾倒させて使用する場合は、テレビ等の画面のメニュー操作とは無関係になり、液晶パネル３３用の操作キーとして作用する。従って、特別な切替え操作を行なうことなく、ジョイスティック２５の傾倒の有無のみで、操作対象を切替えることができるので、煩雑な操作とはならず操作が単純化され操作し易いものである。
【００１９】
なお、上記の構成では、ジョイスティック２５を上下方向に傾倒させて行の選択を行い、次に左右方向に傾倒させたまま押込むことによりメニュー項目の決定を行なっていた。しかし、メニュー項目の決定は、ジョイスティック２５を左右方向に傾倒させるだけで行なうように構成することもできる。この構成にすれば、傾倒および押込みという２つの動作が必要なく、傾倒動作のみでメニュー項目の決定を行なうことができるので、操作性は更に向上するものである。
【００２０】
ジョイスティック２５は、さらに他の操作に用いるように構成することもできる。以下に、その一例を示す。図１６は、液晶パネル３３に表示される画面の頁切替えに利用した例である。図１６に示すＤＶＤの操作メニュー画面は、２頁で構成されている。このように、複数の頁で構成されている画面に対して、例えばジョイスティック２５を下方向に傾倒させたまま押込むことにより、頁の切替えを行なうように構成することができる。図１７は、リモートコントロール装置の操作対象となる電子機器の切替えに利用した例である。操作対象機器としてＤＶＤが選択されている状態で、例えばジョイスティック２５を上方向に傾倒させたまま押込むことにより、操作対象機器をテレビに切替えることができる。同様の操作を行って、順次操作対象機器を切替えることができる。このように、ジョイスティック２５は、種々の操作に適用することができるものである。
【００２１】
なお、液晶パネル３３は、タッチパネルとして構成し、メニューを操作可能なソフトキーとして、画面上のメニューを指で触れることにより選択・決定を行なうようにしてもよい。
【００２２】
また、操作ユニット３２を設けずに、液晶パネル３３を上部本体２１ａの上面に設けるタイプのリモートコントロール装置にも、本発明の操作装置は適用可能である。
【００２３】
また、リモートコントロール装置の本体を、上部本体２１ａと下部本体２１ｂに分けずに、本体の下面に操作ユニット３２を移動可能に設けるような構成にしてもよい。
【００２４】
また、上記構成は、複数の電子機器に対応したリモートコントロール装置として説明したが、本発明は、複合機器（例えば、ＤＶＤ録画再生装置を内蔵したテレビ等）用としても、単独の機器用としても適用できるものである。
【図面の簡単な説明】
【００２５】
【図１】本発明のリモートコントロール装置に用いることができる操作手段の概略構成を示す斜視図。
【図２】図１の操作手段のＸ軸とＺ軸を含む平面での断面図。
【図３】図２において操作レバーをＸ軸方向へ傾倒させた状態の断面図。
【図４】本発明の実施の形態にかかるリモートコントロール装置の外観構成を示す図。
【図５】図４のリモートコントロール装置の側面図。
【図６】図４のリモートコントロール装置において操作ユニットの移動状態を示す図。
【図７】図４のリモートコントロール装置において操作ユニットの移動状態を示す図。
【図８】図７のリモートコントロール装置の側面図。
【図９】図４の上部本体を取り外した構成図。
【図１０】図７の上部本体を取り外した構成図。
【図１１】図４のリモートコントロール装置において操作ユニットの移動状態を示す図。
【図１２】本発明の実施の形態にかかるリモートコントロール装置の操作ユニットの使用状態を示す図。
【図１３】本発明の実施の形態にかかるリモートコントロール装置において液晶パネルに表示されるメニュー画面の図。
【図１４】本発明の実施の形態にかかるリモートコントロール装置において液晶パネルに表示されるメニュー画面の図。
【図１５】本発明の実施の形態にかかるリモートコントロール装置において液晶パネルに表示されるメニュー画面の図。
【図１６】本発明の実施の形態にかかるリモートコントロール装置においてジョイスティックによるメニューの他の操作方法を説明するための図。
【図１７】本発明の実施の形態にかかるリモートコントロール装置においてジョイスティックによるメニューの他の操作方法を説明するための図。
【符号の説明】
【００２６】
１      操作手段
２      溝部材
３      溝部材
４      回転角検出部材
５      回転角検出部材
６      球状部材
７      操作レバー
８      スイッチ
９      スイッチ
１０    スイッチ
１１    スイッチ
１２    スイッチ
１３    筐体
２１ａ  上部本体
２１ｂ  下部本体
２２    機器切替キー
２３    表示部
２４    電源キー
２５    ジョイスティック（操作手段）
２６    画面操作部材（方向指示ボタン）
２７    機器/設定キー
２８    音量キー
２９    選局キー
３０    チャンネル選局キー
３１    ＡＶ操作キー
３２    操作ユニット（移動部材）
３３    液晶パネル（表示手段）
３４    移動操作部材
３５    回動支持部
【図１】
2005252742.tif 000003
【図２】
2005252742.tif 000004
【図３】
2005252742.tif 000005
【図４】
2005252742.tif 000006
【図５】
2005252742.tif 000007
【図６】
2005252742.tif 000008
【図７】
2005252742.tif 000009
【図８】
2005252742.tif 000010
【図９】
2005252742.tif 000011
【図１０】
2005252742.tif 000012
【図１１】
2005252742.tif 000013
【図１２】
2005252742.tif 000014
【図１３】
2005252742.tif 000015
【図１４】
2005252742.tif 000016
【図１５】
2005252742.tif 000017
【図１６】
2005252742.tif 000018
【図１７】
2005252742.tif 000019